(57)【要約】【課題】常時は収納スペースの大きい収納棚として利用でき、階段使用時に階段を兼用できるようにして設置の省スペースを図ることのできる階段兼用の収納棚を提供することにある。【解決手段】本発明の階段兼用の収納棚１は、壁面５に設けられ格子状に区画された収納のうち、下方の一部（下部収納３）が引き出し可能とされ、引き出した下部収納３によって階段Ｋが構成可能になされていることを特徴とする。【選択図】  図１
2004169470.tif 000002
【特許請求の範囲】
【請求項１】
壁面に設けられ格子状に区画された収納のうち、下方の一部が引き出し可能とされ、引き出した収納によって階段が構成可能になされていることを特徴とする階段兼用の収納棚。
【請求項２】
上面を階段状に傾斜させて上部階段とし、前記引出した収納によって構成された階段を下部階段とし、この下部階段を前記上部階段に対して昇降方向の向きを変えて連続させることにより、折れ曲がり階段が構成可能になされていることを特徴とする請求項１記載の階段兼用の収納棚。
【請求項３】
前記引出した収納は、床面上を移動容易になされていることを特徴とする請求項１または２記載の階段兼用の収納棚。
【発明の詳細な説明】
【０００１】
【発明の属する技術分野】
本発明は、階段兼用の収納棚に関する。
【０００２】
【従来の技術】
従来、階段の段板の下側にボックスを設け、段板を開閉可能にすることによって、ボックスを収納スペースとして利用できるようにしたボックス付き階段が知られている（例えば、特許文献１参照）。
【０００３】
また、階段の各段部がそれぞれ水平方向に移動可能に配設され、各段部を引き出して昇降可能とした階段使用状態と、各段部を同一水平方向に移動させて各段部の蹴込み板を面一に配設した収納状態とを選択的に採ることをできるようにした可動収納式階段が知られている（例えば、特許文献２参照）。
上記特許文献２に記載のものによると、昇降利用しない場合には、この階段を収納して、階段部分のスペースを有効利用できるようにした。
【０００４】
【特許文献１】
特開２００２−４７７７２号公報
【特許文献２】
特開平５−０７９１４２号公報
【０００５】
【発明が解決しようとする課題】
しかしながら、特許文献１に記載の従来技術は、段板の下側にボックスを設け、このボックスを収納スペースとして利用できるようにしたものであるから、階段の設置スペースは不可欠であり、収納スペースとしても限界がある。
また、特許文献２に記載の従来技術は、階段使用状態と収納状態を選択的に採ることができるようにしたので、収納スペースを広くできるが、階段使用状態とするときには、収納スペースに設置した収納棚等を別なスペースに移動させたりする手間と、これを設置する別なスペースを必要とする。
【０００６】
本発明の課題は、常時は収納スペースの大きい収納棚として利用でき、階段使用時に階段を兼用できるようにして設置の省スペースを図ることのできる階段兼用の収納棚を提供することにある。
【０００７】
【課題を解決するための手段】
請求項１記載の発明は、壁面に設けられ格子状に区画された収納のうち、下方の一部が引き出し可能とされ、引き出した収納によって階段が構成可能になされていることを特徴とする階段兼用の収納棚である。
【０００８】
請求項２記載の発明は、請求項１記載の階段兼用の収納棚において、上面を階段状に傾斜させて上部階段とし、前記引出した収納によって構成された階段を下部階段とし、この下部階段を前記上部階段に対して昇降方向の向きを変えて連続させることにより、折れ曲がり階段が構成可能になされていることを特徴とする。
【０００９】
請求項３記載の発明は、請求項１または２記載の階段兼用の収納棚において、前記引出した収納は、床面上を移動容易になされていることを特徴とする。
上記床面上を移動容易になす手段としては、引き出した収納の底面等に取り付けられるキャスターや、床面に設置されたレール上にガイドされて摺動する車輪等を挙げることができる。
【００１０】
（作用）
請求項１記載の階段兼用の収納棚によると、壁面に格子状に区画された収納が設けられているので、常時は、収納スペースの大きい収納棚として利用でき、階段使用時には、収納のうち下方の一部を引き出せば、引き出した収納によって階段を兼用できる。この際、下方の収納を引き出すだけのスペースさえあればよいので、階段設置の省スペース化を図ることのできる。
【００１１】
請求項２記載の階段兼用の収納棚によると、さらに、上面を階段状に傾斜させた上部階段と、引出した収納によって構成された下部階段とによって、折れ曲がり階段が構成可能になされているので、階段使用時には、下部階段となる収納だけを引き出せばよい。このため、階段設置の手間を少なくできる。
【００１２】
請求項３記載の階段兼用の収納棚によると、さらに、前記引出した収納は、床面上を移動容易になされているので、例えば、小屋裏収納やロフト等への昇降時に容易に移動して利用できる。
【００１３】
【発明の実施の形態】
（実施の形態１）
図１と図２は、本発明の実施の形態１であって、図１（イ）は室内に設置された収納棚の斜視図であり、（ロ）は（イ）のＸ部において上部収納の一部を拡大した斜視図であり、（ハ）は下部収納の一部を拡大した斜視図である。図２は階段を構成した下部収納を上部収納とを共に示す収納棚の斜視図である。
【００１４】
図１において、１は収納棚であって、この収納棚１は、図２に示すような上下階に通じる階段Ｋを兼用するものである。
収納棚１は、壁面５に設けられ格子状に区画された上部収納２と下部収納３とからなる。下部収納３は、上部収納２から引き出し可能とされ、引き出したこの下部収納３によって階段Ｋが構成される。
【００１５】
下部収納３は、図１（ハ）に示すように、棚板３１と仕切板３２とによって格子状に区画されているが、下部収納３の上面は階段Ｋを構成するように、階段状に傾斜するように構成されている。
また、引出し可能な下部収納３は、床面４上を移動容易なように、キャスター３３付きになされている。
【００１６】
上部収納２は、図１（イ）と（ハ）に示すように、上面板２１と、この上面板２１の両側に設けた側面板２２，２２とから正面から見て四角形の外枠が構成され、棚板２３と仕切板２４とによって格子状に区画されている。上記一方の側面板２２の上端部から他方の側面板２２の下端部とを結ぶジグザク斜線の下方は、正面が略三角形の空間部になされ、この空間部には前記キャスター付きの下部収納３が出し入れ自在に収容されている。
【００１７】
（実施の形態１の作用）
本実施の形態１の収納棚１によると、壁面５に格子状に区画された上部収納２と下部収納３とが設けられているので、常時は、大きい収納スペースを確保できる。階段使用時には、下部収納３を引き出せば、引き出した下部収納３によって上下階に通じる階段Ｋを兼用できる。この際、下部収納３を引き出すだけのスペースさえあればよいので、階段設置の省スペース化を図ることのできる。
【００１８】
さらに、前記引出した下部収納３は、床面４上を移動容易にように、キャスター３３付きになされているので、例えば、小屋裏収納やロフト等への昇降時に容易に引き出して利用できる。
【００１９】
（実施の形態２）
図３と図４は、本発明の実施の形態２であって、図３は室内に設置された収納棚の斜視図であり、図４は下部収納と上部収納で折れ曲がり階段を構成した収納棚の斜視図である。
以下の実施の形態において、前記実施の形態１と同じものには同符号を付けて説明を省略し、異なるものだけ別符号を付けて説明することとする。
【００２０】
本実施の形態２の階段兼用の収納棚１Ａは、上部収納２Ａの上面を５段の階段状に傾斜させ、これを上階の床面に通じる上部階段ＫＡとしている。また、前記引出し可能になされた下部収納３Ａの上面は、下階の床面４に通じる５段の下部階段ＫＢとしている。
上記下部収納３Ａを正面側に引き出し、５段の下部階段ＫＢを前記５段の上部階段ＫＡに対して昇降方向の向きを反転させて連続させることにより、１０段の折れ曲がり階段が構成可能になされている。
【００２１】
上部収納２Ａと下部収納３Ａは、いずれも、前記実施の形態１と同様、格子状に区画されており、下部収納３Ａは、キャスター付きになされ、引き出したときに床面４上を移動容易なようにしている。
【００２２】
（実施の形態２の作用）
本実施の形態２の階段兼用の収納棚１Ａによると、前記実施の形態１の作用に加えて、さらに、以下の作用がある。
上面を階段状に傾斜させた上部階段ＫＡと、引出した下部収納３Ａによって構成された下部階段ＫＢとによって、折れ曲がり階段が構成可能になされているので、階段使用時には、下部階段ＫＢとなる下部収納３Ａだけを引き出せばよい。このため、階段設置の手間を少なくできる。
【００２３】
（実施の形態３）
図５〜図８は、本発明の実施の形態３であって、図５（イ）は室内に設置された収納棚の斜視図であり、（ロ）は（イ）のＡ部を拡大した斜視図である。図６は図５に示す収納本体の斜視図であり、図７は引出し収納の斜視図である。図８は収納本体と引出し収納とで構成された階段の斜視図である。
【００２４】
図５において、１Ｂは収納棚であって、この収納棚１Ｂは、図８に示すような階段Ｋを兼用するものである。
収納棚１Ｂは、交差する壁面５，５の角部に接するようにして居室の床面４上に設置されている。
上記収納棚１Ｂは、収納本体２Ｂ（図６参照）と、収納本体２Ｂの格子状に区画された収納部２６に収納された多数の引出し収納３Ｂ（図７参照）とからなる。
【００２５】
収納本体２Ｂは、上面板２１と底板２１Ｂと左右の側板２２，２２とからなる外枠が、仕切り板２４と棚板２３とによって格子状に区画され、前面側が開口された収納部２６を１０列×１０段の計１００個形成したものである。
【００２６】
収納本体２Ｂには、前記収納部２６から正面側に引き出し可能な引出し収納３Ｂ，３Ｂ，・・が、階段Ｋを構成するのに必要な数だけ多数収納されている。
引出し収納３Ｂは、図７（イ）に示すように、階段Ｋの段板部Ｋ１となる上面板３１Ｂと、両側２枚の脚板３２Ｂ，３２Ｂと、下面板３３Ｂとから筒状になされている。そして、この引出し部材３Ｂは、この筒状の開口側を正面側に向けて収納部２６に収納され、収納本体２Ｂの正面側から引出し収納３Ｂ内にも収納物を収納できるようにしている。
なお、引出し収納３Ｂは、図７（ロ）に示すように、（イ）の下面板３３Ｂを省略したものでもよい。
【００２７】
上記収納本体２Ｂの収納部２６から引き出した引出し収納３Ｂを、その段板部Ｋ１を階段状に配列することによって、上下階に通じる階段Ｋが構成可能になされている。
具体的には、図８に示すように、最下段の収納部２６から１０個の引出し収納３Ｂを引き出し、これらを収納本体２Ｂの正面側の床面４に並べて設置する。つぎに、下から２段目の収納部２６から９個の引出し収納３Ｂを引き出し、これらを先に並べた引出し収納３Ｂの上に階段状に積み重ね、階段Ｋの２段目を構成する。この後順次同じ作業を繰り返し、１０段の階段Ｋが構成される。
【００２８】
（実施の形態３の作用）
本実施の形態３の階段兼用の収納棚１Ｂによると、壁面に格子状に区画された収納本体２Ｂが設けられているので、常時は、収納スペースの大きい収納棚として利用でき、階段使用時には、引出し収納３Ｂによって階段Ｋを構成して兼用できる。この際、引出し収納３Ｂを引き出すだけのスペースさえあればよいので、階段設置の省スペース化を図ることのできる。
【００２９】
さらに、前記収納本体２Ｂには、格子状に区画された多数の収納部２６が形成されるとともに、引出し収納３Ｂにも収納できるので、大きい収納スペースを確保できる。
【００３０】
（実施の形態４）
図９は、実施の形態４であって、（イ）は引出し収納を収納した収納棚の正面図であり、（ロ）は引出し収納で構成した階段の正面図であり、（ハ）は引出し収納の斜視図である。
【００３１】
前記実施の形態３では、引出し収納３Ｂは、図３（イ）、（ロ）に示したように、筒状のものであったが、実施の形態４の引出し収納３０Ａ〜３０Ｊは、階段Ｋの段毎に長さの異なる横長のものである。例えば、階段Ｋの下から６段目に積み重ねられる引出し収納３０Ｆは、図９（ハ）に示すように、長尺の上面板３１Ｂの裏面側に複数の脚板３２Ｂ，３２Ｂ，・・・を垂設し、脚板３２Ｂ，３２Ｂ間に収納部を形成するように構成されている。
【００３２】
収納本体２Ｂは、長さの異なる上記引出し収納３０Ａ〜３０Ｊを段積みして収納できるように、下方は収納空間となっている。
上記引出し収納３０Ａ〜３０Ｊを収納本体２Ｂの正面に引き出し、引出し収納３０Ａの上には引出し収納３０Ｂを積み重ね、つぎにこの引出し収納３０Ｂの上には引出し収納３０Ｃを積み重ね等して、順次階段Ｋを構成するようにしたものである。
【００３３】
（実施の形態５）
図１０は、実施の形態５であって、（イ）は引出し収納を収納した収納棚の正面図であり、（ロ）は引出し収納で構成した階段の正面図であり、（ハ）は引出し収納の斜視図である。
【００３４】
本実施の形態５の引出し収納３０ａ〜３０ｊは、階段Ｋの段毎に高さ寸法の異なる縦長のものである。例えば、階段Ｋの下から５段目の引出し収納３０ｇは、図１０（ハ）に示すように、上面板３１Ｂ（段板Ｋ１を形成するもの）の裏面側に２枚の縦長の脚板３２Ｂ，３２Ｂ，・・・を垂設し、この脚板３２Ｂ，３２Ｂ間に４枚の棚板３４Ｂを架け渡して収納部を形成するように構成されている。
【００３５】
上記引出し収納３０ａ〜３０ｊを収納本体２Ｂの下方から正面に引き出し、引出し収納３０ａの横に引出し収納３０ｂを隣接させ、つぎにこの引出し収納３０ｂの横に引出し収納３０ｃを隣接させる等して、順次階段Ｋを構成するようにしたものである。
【００３６】
なお、上記実施の形態４，５の作用は、前記実施の形態３の作用と同じであるから説明を省略する。
【００３７】
以上、本発明の実施の形態を図面により詳述したが、本発明の具体的な構成はこの実施の形態に限られるものではなく、本発明の要旨を逸脱しない範囲の設計の変更等があっても本発明に含まれる。
【００３８】
例えば、実施の形態１〜５において、格子状に区画された収納のうち、引き出して階段Ｋを構成する収納の一部は、箱状または筒状のものであったが、図１１に示すような平板状の引出し板材３００を収納部２６からスライドして引き出すようにしてもよい。
この際、引出し板材３００は、階段を構成可能な数だけ収納部２６に段違いに取り付けられ、引出し板材３００の両側部を仕切り板２４に設けたレール材３０１，３０１に嵌合させ、収納部２６から正面側にスライドさせて引出し可能に取り付けられる（図１１の（イ）参照）。そして、階段として使用するときには、図１１（ロ）に示すように、引出し板材３００の前側部を収納本体２Ｂの正面に引き出して段板部Ｋ１とし、階段を構成する。
【００３９】
【発明の効果】
請求項１記載の階段兼用の収納棚によると、常時は、収納スペースの大きい収納棚として利用でき、階段使用時には、引き出した収納によって階段を兼用できる。この際、下方の収納を引き出すだけのスペースさえあればよいので、階段設置の省スペース化を図ることのできる。
【００４０】
請求項２記載の階段兼用の収納棚によると、さらに、折れ曲がり階段の下部階段となる収納だけを引き出せばよいので、階段設置の手間を少なくできる。
【００４１】
請求項３記載の階段兼用の収納棚によると、さらに、前記引出した収納は、床面上を移動容易になされているので、例えば、小屋裏収納やロフト等への昇降時に容易に移動して利用できる。
【図面の簡単な説明】
【図１】本発明の実施の形態１であって、（イ）は収納棚の斜視図であり、（ロ）と（ハ）は（イ）のＸ部における上部収納と下部収納の一部拡大斜視図である。
【図２】引き出して階段を構成した下部収納を上部収納とを共に示す収納棚の斜視図である。
【図３】本発明の実施の形態２であって、収納棚の斜視図である。
【図４】下部収納と上部収納で折れ曲がり階段を構成した収納棚の斜視図である。
【図５】本発明の実施の形態３であって、（イ）は収納棚の斜視図であり、（ロ）は（イ）のＡ部を拡大した斜視図である。
【図６】図５に示す収納本体の斜視図である。
【図７】引出し収納の斜視図である。
【図８】収納本体と引出し収納で構成された階段の斜視図である。
【図９】本発明の実施の形態４であって、（イ）は収納棚の正面図であり、（ロ）は引出し収納で構成した階段の正面図であり、（ハ）は引出し収納の斜視図である。
【図１０】本発明の実施の形態５であって、（イ）は収納棚の正面図であり、（ロ）は引出し収納で構成した階段の正面図であり、（ハ）は引出し収納の斜視図である。
【図１１】本発明の他の実施の形態であって、（イ）は収納棚の一部を示す斜視図であり、（ロ）は断面図である
【符号の説明】
１，１Ａ，１Ｂ      収納棚
２，２Ａ            上部収納
２Ｂ                収納本体
３，３Ａ            下部収納
３Ｂ，３０Ａ〜３０Ｊ，３０ａ〜３０ｊ    引出し収納
４                  床面
５                  壁面
Ｋ    階段
ＫＡ    上部階段
ＫＢ    下部階段
【図１】
2004169470.tif 000003
【図２】
2004169470.tif 000004
【図３】
2004169470.tif 000005
【図４】
2004169470.tif 000006
【図５】
2004169470.tif 000007
【図６】
2004169470.tif 000008
【図７】
2004169470.tif 000009
【図８】
2004169470.tif 000010
【図９】
2004169470.tif 000011
【図１０】
2004169470.tif 000012
【図１１】
2004169470.tif 000013